(57)【要約】【課題】扉を撓ませることなく組み付けることができる記録媒体駆動装置の扉保持構造の提供。【解決手段】筺体４と、この筐体４の前面に設けられ、第１カートリッジ１、第２カートリッジ２が挿入される開口部６を有する前面パネル５と、可撓性を有し開口部６を開閉可能な扉７とを有する記録媒体駆動装置３に備えられ、扉７の両側端のそれぞれに一体に設けた軸８ａ，８ｂを回動可能に保持させる扉保持構造であって、筺体４の両側板４ａ，４ｂのそれぞれに形成され、上方に開口し軸８ａ，８ｂのそれぞれを挿入可能な円弧状凹部９ａ，９ｂと、前面パネル５に設けられ、円弧状凹部９ａ，９ｂに挿入された軸８ａ，８ｂの上方向への移動を規制する延設部１０ａ，１０ｂとを備えた構成にしてある。【選択図】図３
2010073273.tif 000002
【特許請求の範囲】
【請求項１】
本体を形成する筺体と、この筺体の前面に設けられ、記録媒体が挿入される開口部を有する前面パネルと、可撓性を有し上記前面パネルの上記開口部を開閉可能な扉とを有する記録媒体駆動装置に備えられ、上記扉の両側端のそれぞれに一体に設けた軸を回動可能に保持させる記録媒体駆動装置の扉保持構造であって、
上記筺体の上記両側板のそれぞれに形成され、上方に開口し上記軸のそれぞれを挿入可能な凹部と、これらの凹部に挿入された上記軸の上方向への移動を規制する規制部とを備えたことを特徴とする記録媒体駆動装置の扉保持構造。
【請求項２】
請求項１に記載の記録媒体駆動装置の扉保持構造において、
上記規制部は、上記前面パネルに設けられ、上記筺体に近づく方向に延設される延設部から成ることを特徴とする記録媒体駆動装置の扉保持構造。
【請求項３】
請求項１に記載の記録媒体駆動装置の扉保持構造において、
上記軸は、縦断面が円形のものから成り、
上記凹部は、上記軸の周面に沿う円弧状凹部から成ることを特徴とする記録媒体駆動装置の扉保持構造。
【請求項４】
請求項１〜３のいずれか１項に記載の記録媒体駆動装置の扉保持構造において、
上記記録媒体駆動装置に挿入可能な上記記録媒体は、前面から見た断面形状が矩形状の下部領域と該下部領域の幅より狭幅の上部領域が積み重なった形状の第１カートリッジと、この第１カートリッジの幅寸法と同じ幅寸法を有し、上記第１カートリッジの高さ寸法よりも低い高さ寸法を有し、前面から見た形状が上記第１カートリッジの上記下部領域の領域内に包含される矩形状の第２カートリッジとから成り、
上記前面パネルの上記開口部の形状を、上記第１カートリッジの前面から見た形状に相応する形状に設定したことを特徴とする記録媒体駆動装置の扉保持構造。
【発明の詳細な説明】
【技術分野】
【０００１】
本発明は、ディスク、カートリッジ等の記録媒体の記録の再生、または記録媒体への記録が可能な記録媒体駆動装置に備えられ、記録媒体が挿入される開口部を開閉する扉を保持する記録媒体駆動装置の扉保持構造に関する。
【背景技術】
【０００２】
この種の従来技術として、特許文献１に示されるものがある。この従来技術は、本体を形成する筺体と、この筺体の前面に設けられ、ディスクすなわち記録媒体が挿入される開口部を有する前面パネルと、可撓性を有し前面パネルの開口部を開閉可能な扉とを有する記録媒体駆動装置に備えられる扉保持構造である。この従来の扉保持構造は、前面パネルの裏面側上部の両側端のそれぞれに円形穴を有する保持部を備え、これらの保持部の円形穴に扉の両側端のそれぞれに一体に設けた軸を挿入させ、これらの保持部によって扉を回動可能に保持させるようにしてある。
【０００３】
記録媒体を前面パネルの開口部から筺体内に挿入するときは、記録媒体の挿入動作によって扉が上方に回動して前面パネルの開口部が開かれ、記録媒体が筺体内に収容されたときには扉が下方に回動して前面パネルの開口部が閉じられる。また、記録媒体の排出時には、扉が再び上方に回動して前面パネルの開口部が開かれ、記録媒体が筺体から取り出されると扉が下方に回動して前面パネルの開口部が閉じられるようになっている。
【特許文献１】特開２００３−１１５１５８号公報
【発明の開示】
【発明が解決しようとする課題】
【０００４】
上述した従来技術は、扉の両側端の軸を前面パネルの円形穴を有する保持部に挿入させるとき、扉を撓ませながら両側端の軸を保持部の円形穴に挿入させるようにしている。このために、扉を撓ませる際に扉等が損傷し、記録媒体駆動装置の製作時の歩留まりが低下する懸念がある。
【０００５】
また、扉を前面パネルに組み付ける際に、扉を撓ませながら扉の軸を保持部の円形穴に適合させて挿入する煩雑な作業を要し、扉組み付け作業の能率の向上を見込み難い。
【０００６】
本発明は、上述した従来技術における実状からなされたもので、その目的は、扉を撓ませることなく組み付けることができる記録媒体駆動装置の扉保持構造を提供することにある。
【課題を解決するための手段】
【０００７】
この目的を達成するために、本発明に係る記録媒体駆動装置の扉保持構造は、本体を形成する筺体と、この筺体の前面に設けられ、記録媒体が挿入される開口部を有する前面パネルと、可撓性を有し上記前面パネルの上記開口部を開閉可能な扉とを有する記録媒体駆動装置に備えられ、上記扉の両側端のそれぞれに一体に設けた軸を回動可能に保持させる記録媒体駆動装置の扉保持構造であって、上記筺体の上記両側板のそれぞれに形成され、上方に開口し上記軸のそれぞれを挿入可能な凹部と、これらの凹部に挿入された上記軸の上方向への移動を規制する規制部とを備えたことを特徴としている。
【０００８】
このように構成した本発明は、扉の組み付けに際しては、扉の両側端のそれぞれの軸を、筺体の両側板のそれぞれに形成した上方に開口する凹部に、扉を撓ませることなく凹部の上方から下降させて挿入し、この状態で規制部によって軸の上方への移動を規制するようにすればよい。これにより扉を撓ませることなく筺体の両側板のそれぞれに組み付けることができ、撓ませることによる扉等の損傷を生じる懸念がない。また、扉を撓ませる煩雑な作業を要することなく扉を組み付けることができる。扉の両側端の軸が挿入される凹部は、上方に開口するように筺体の両側板のそれぞれに形成されているので、軸の回動支点の位置を筺体の両側板の最上方位置に設定することができる。これにより、記録媒体が当接する扉の部分と、軸の回動支点との高さ方向の距離を大きくすることができる。これに伴って記録媒体の前面パネルの開口部への挿入時に、記録媒体が扉に当接することによって軸に与えられる力を小さくすることができ、筺体の両側板の凹部からの扉の軸の離脱を生じることなく、扉の円滑な回動動作を実現させることができる。
【０００９】
また、本発明に係る記憶媒体駆動装置の扉保持構造は、上記発明において、上記規制部は、上記前面パネルに設けられ、上記筺体に近づく方向に延設される延設部から成ることを特徴としている。このように構成した本発明は、扉の軸の上方向の移動を規制する規制部が、前面パネルに設けた延設部から成るので、前面パネルを扉の軸の上方向への移動を規制する規制部の形成部材として活用することができる。
【００１０】
また、本発明に係る記憶媒体駆動装置の扉保持構造は、上記発明において、上記軸は、縦断面が円形のものから成り、上記凹部は、上記軸の周面に沿う円弧状凹部から成ることを特徴としている。このように構成した本発明は、縦断面が円形の軸が筺体の両側板の円弧状凹部に保持されるので、扉の回動に際して円弧状曲面同士の摺接となり、この扉の回動を円滑に行わせることができる。
【００１１】
また、本発明に係る記憶媒体駆動装置の扉保持構造は、上記発明において、上記記録媒体駆動装置に挿入可能な上記記録媒体は、前面から見た断面形状が矩形状の下部領域と該下部領域の幅より狭幅の上部領域が積み重なった形状の第１カートリッジと、この第１カートリッジの幅寸法と同じ幅寸法を有し、上記第１カートリッジの高さ寸法よりも低い高さ寸法を有し、前面から見た形状が上記第１カートリッジの上記下部領域の領域内に包含される矩形状の第２カートリッジとから成り、上記前面パネルの上記開口部の形状を、上記第１カートリッジの前面から見た形状に相応する形状に設定したことを特徴としている。
【００１２】
このように構成した本発明は、第１カートリッジを前面パネルの開口部から挿入する際には、前面パネルの開口部の形状に適合させるように第１カートリッジを挿入させることにより、開口部の全体によって第１カートリッジを筺体内に円滑に案内することができるとともに、第１カートリッジが当接する扉の部分が常に同一の部分となり、第１カートリッジが当接する扉の部分と、扉の軸との高さ方向の距離が一定に保たれる。これによって、扉を撓める不要な力が扉に与えられることがなく、扉の円滑な回動動作を行わせることができる。また、第２カートリッジを前面パネルの開口部から挿入する際には、前面パネルの開口部の下部領域に含まれる矩形形状に適合させるように第２カートリッジを挿入させることにより、開口部の下部領域によって第２カートリッジを筺体内に円滑に案内することができるとともに、第２カートリッジが当接する扉の部分が常に同一の部分となり、第２カートリッジが当接する扉の部分と、扉の軸との高さ方向の距離が一定に保たれる。これによって、扉を撓める不要な力が扉に与えられることがない。また、第２カートリッジが当接する扉の部分が扉の軸の回動支点から比較的遠い位置となり、第２カートリッジの挿入時に扉の軸に与えられる力を小さく抑えることができる。これらによって扉の円滑な回動動作を行わせることができる。すなわち、第１カートリッジ、第２カートリッジの筺体への挿入によって、扉の軸を筺体の両側板の凹部から離脱させるような不要な力をこの扉の軸に与えることなく、扉の円滑な回動動作を実現させることができる。
【発明の効果】
【００１３】
本発明に係る記録媒体駆動装置の扉保持構造は、本体を形成する筺体の両側板のそれぞれに形成され、上方に開口し扉の両側端の軸のそれぞれを挿入可能な凹部と、これらの凹部に挿入された軸の上方向への移動を規制する規制部とを備えたことから、扉を撓ませることなく組み付けることができ、これにより、撓ませることによる扉等の損傷を生じる懸念がなく、記録媒体駆動装置の製作に際しての歩留まりを従来よりも向上させることができる。また、扉を撓ませる煩雑な作業を要することなく、扉の両側端の軸を筺体の両側版の凹部に向けて単に下降させることにより扉を組み付けることができるので、扉の組み付けが簡単であり、この扉の組み付け作業の能率を従来よりも向上させることができる。また、扉の軸の回動支点の位置を筺体の両側板の最上方位置に設定でき、扉の軸を筺体の両側板の凹部から離脱させるような不要な力をこの扉の軸に与えることがなく、扉の円滑な回動動作を実現させることができる。これにより、信頼性の高い記録媒体駆動装置を得ることができる。
【発明を実施するための最良の形態】
【００１４】
以下、本発明に係る記録媒体駆動装置の扉保持構造を実施するための最良の形態を図に基づいて説明する。
【００１５】
［本実施形態が備えられる記録媒体駆動装置に使用されるカートリッジ］
図１は本発明に係る扉保持構造の一実施形態が備えられる記録媒体駆動装置に使用される記録媒体であるカートリッジの正面図であり、（ａ）図は第１カートリッジを示す正面図、（ｂ）図は第２カートリッジを示す正面図である。
【００１６】
本実施形態の対象となる記録媒体駆動装置には、例えば複数の記録媒体が使用可能となっている。これらの記録媒体は、例えば図１の（ａ）図に示す第１カートリッジ１と、（ｂ）図に示す第２カートリッジ２とから成っている。
【００１７】
図１の（ａ）図に示す第１カートリッジ１は、幅寸法がＡであり、高さ寸法Ｂの位置に段付部を有し、高さ寸法Ｂの上の高さがＣに設定されている。すなわち、全体の高さ寸法がＢ＋Ｃに設定されている。この第１カートリッジ１は、前面から見た断面形状が矩形状の下部領域と該下部領域の幅より狭幅の上部領域が積み重なった形状となっている。この第１カートリッジ１内に、各種の情報が記録可能になっている。
【００１８】
図１の（ｂ）図に示す第２カートリッジ２も、幅寸法が第１カートリッジ１の幅寸法と同じくＡであり、高さ寸法がＢとなっている。すなわち、この第２カートリッジ２は、第１カートリッジ１の下部領域に包含される矩形形状に設定されている。この第２カートリッジ２内にも、各種の情報が記録可能になっている。
【００１９】
［本実施形態に係る扉保持構造が備えられる記録媒体駆動装置の構成］
図２は本発明に係る扉保持構造の一実施形態が備えられる記録媒体駆動装置を示す斜視図、図３は図２に示す記録媒体駆動装置の分解斜視図、図４は図２に示す記録媒体駆動装置の平面図、図５は図２に示す記録媒体駆動装置の正面図、図６は図２に示す記録媒体駆動装置の側面図、図７は図６の要部拡大図、図８は図７に示す要部の分解斜視図である。
【００２０】
図２，３に示すように、本実施形態に係る扉保持構造が備えられる記録媒体駆動装置３は、本体を形成する金属製の筺体４と、この筺体４の前面に取り付けられ、第１カートリッジ１及び第２カートリッジ２が選択的に挿入可能な開口部６を有する前面パネル５と、例えば可撓性を有する合成樹脂から成り、前面パネル５の開口部６を開閉可能な扉７とを備えている。
【００２１】
上述した筺体４内には、各種の機構が備えられている。例えば前面パネル５の開口部６から挿入された第１カートリッジ１、第２カートリッジ２を所定の装着位置まで移動させるローディング機構が備えられている。また、第１カートリッジ１、第２カートリッジ２の記録を再生可能な、あるいは第１カートリッジ１、第２カートリッジ２に記録可能なカートリッジ駆動機構が備えられている。また、扉７に連結された後述の図８に示す扉開閉アーム１２を含み、第１カートリッジ１、第２カートリッジ２の挿入等に伴って、扉７を自動的に開閉させる扉自動開閉機構が備えられている。また、所定の装着位置に装着されている第１カートリッジ１、第２カートリッジ２の排出操作が可能なカートリッジ排出機構が備えられている。
【００２２】
上述した前面パネル５の開口部６は、図５に示すように、例えば幅寸法が第１カートリッジ１、第２カートリッジ２の幅寸法Ａよりもわずかに大きな寸法であって、高さ寸法が第１カートリッジ１の高さ寸法Ｂ＋Ｃよりもわずかに大きな寸法の矩形形状に設定されている。
【００２３】
また、上述した扉７の両側端のそれぞれには、図３等に示すように、扉７の回動支点を形成する軸８ａ，８ｂが一体に備えられている。これらの軸８ａ，８ｂは、例えば縦断面が円形のものから成っている。
【００２４】
［本実施形態に係る扉保持構造］
図３，６〜８に示すように、本実施形態に係る扉保持構造は、筺体４の両側板４ａ，４ｂの上端位置のそれぞれに形成され、上方に開口し扉７の軸８ａ，８ｂの該当するもののそれぞれを挿入可能な凹部、例えば円弧状凹部９ａ，９ｂと、これらの円弧状凹部９ａ，９ｂに挿入された軸８ａ，８ｂの上方向への移動、すなわち円弧状凹部９ａ，９ｂから離脱する上方向への移動を規制する規制部を備えている。この規制部は、例えば図８等に示すように、前面パネル５に設けられ、筺体４に近づく方向に延設される延設部１０ａ，１０ｂから成っている。延設部１０ａは円弧状凹部９ａの上側に配置され、延設部１０ｂは円弧状凹部９ｂの上側に配置されている。
【００２５】
なお、図３，７，８等に示すように、前面パネル５の延設部１０ａ，１０ｂの下側には、筺体４方向に、すなわち横方向に開口し、筺体４の両側板４ａ，４ｂから突出した扉７の軸８ａ，８ｂの部分が収容される切欠き部１１ａ，１１ｂを設けてある。これらの切欠き部１１ａ，１１ｂは、延設部１０ａ，１０ｂの形成のために設けられるとともに、前面パネル５を筺体４に組み付ける際に、前面パネル５が扉７の軸８ａ，８ｂに干渉することなく筺体４に組み付けることができるようするために設けられている。これらの切欠き部１１ａ，１１ｂの下縁部は、図７に示すように、筺体４の両側板４ａ，４ｂの円弧状凹部９ａ，９ｂに扉７の軸８ａ，８ｂが挿入された状態で前面パネル５を筺体４に組み付けた際に、扉７の軸８ａ，８ｂのわずかに下方に位置するように設けてある。またこのとき、切欠き部１１ａ，１１ｂの上縁部、すなわち延設部１０ａ，１０ｂの下縁部は、扉７の軸８ａ，８ｂの上方の位置で、これらの軸８ａ，８ｂとの間にほとんど隙間を生じさせることなく、また軸８ａ，８ｂの回動動作に際して不要な抵抗を与えることがない程度の高さ位置に設けてある。なお、図８中に示す扉自動開閉機構に含まれる扉開閉アーム１３は、扉７と連動するように扉７に組み付けられるようになっている。
【００２６】
例えば図２に示す状態にある筺体４に扉７を組み付ける際には、扉７の軸８ａが筺体４の側板４ａの円弧状凹部９ａの上に位置し、扉７の軸８ｂが筺体４の側板４ｂの円弧状凹部９ｂの上に位置するように扉７を配置し、この扉７を撓ませることなく、扉７の軸８ａ，８ｂが円弧状凹部９ａ，９ｂに向かうように扉７を単に下降させればよい。これにより、扉７の軸８ａ，８ｂのそれぞれが円弧状凹部９ａ，９ｂの該当するものに挿入される。なお、この扉７の組み付けに際して、図８に示す扉自動開閉機構の扉開閉アーム１２も扉７に連結される。このような状態において、前面パネル５を筺体４に組み付けると、前面パネル５に設けた延設部１０ａが扉７の軸８ａの上側に配置され、延設部１０ｂが軸８ｂの上側に配置される。
【００２７】
［扉の開閉動作を含む記録媒体駆動装置の動作］
図２に示すように、上述の構成の本実施形態に係る扉保持構造が備えられた記録媒体駆動装置３に、例えば図１の（ａ）図に示す第１カートリッジ１が装着されるときは、前面パネル５の開口部６から第１カートリッジ１を挿入することによって第１カートリッジ１に押されて扉７が上方に回動し、扉開閉アーム１２を介して扉自動開閉機構が作動して扉７の上方への回動が促進される。このとき、第１カートリッジ１の上縁部、下縁部、両側縁部のそれぞれが、開口部６の上縁部、下縁部、両側縁部のそれぞれによって案内されるとともに、筺体４内に設けられたローディング機構が作動して第１カートリッジ１が所定の装着位置まで移動する。第１カートリッジ１が筺体４内に収容されると、扉７は下方に回動し、前面パネル５の開口部６は扉７によって閉じられる。
【００２８】
第１カートリッジ１が所定の装着位置に装着されると、筺体４内に設けられたカートリッジ駆動機構が作動して、第１カートリッジ１の記録が再生される。あるいは、第１カートリッジ１への記録が行われる。
【００２９】
第１カートリッジ１の排出時には、図示しないカートリッジ排出機構の操作によって第１カートリッジ１の排出が開始されるとともに、扉自動開閉機構が作動して扉７が再び上方向に回動し、第１カートリッジ１が前面パネル５の開口部６から排出される。第１カートリッジ１を筺体４から取り出すと、扉７は下方に回動し、前面パネル５の開口部６は閉じられる。
【００３０】
また、上述した第１カートリッジ１に代えて、図１の（ｂ）図に示す第２カートリッジ２が装着されるときも、上述した各動作と同等の動作が実施される。しかし、この第２カートリッジ２の挿入時には、第２カートリッジ２を前面パネル５の開口部６に挿入した際に、第２カートリッジ２は例えばその下縁部、両側縁部が前面パネル５の開口部６の下縁部、両側縁部のそれぞれに案内される。ここで例えば、第２カートリッジ２の上縁部、両側縁部が開口部６の上縁部、両側縁部に案内されるようにこの第２カートリッジ２を挿入すると、第２カートリッジ２が当接する扉７の部分と扉７の軸８ａ，８ｂとの高さ方向の距離が近くなって、第２カートリッジ２の押し込み力に応じた比較的大きな力が、扉７に伝えられやすくなる。このような力が扉７に伝えられると、扉７が撓んで軸８ａ，８ｂが円弧状凹部９ａ，９ｂから離脱する虞がある。したがって、このような不要な力の扉７への伝達を抑えるために、第２カートリッジ２の挿入時には、第２カートリッジ２の下縁部が開口部６の下縁部に案内されるように挿入することが望ましい。
【００３１】
［本実施形態に係る扉保持構造の効果］
このように構成した本実施形態に係る扉保持構造によれば、上述したように、扉７の組み付けに際して、扉７の両側端のそれぞれの軸８ａ，８ｂを、筺体４の両側板４ａ，４ｂのそれぞれに形成した上方に開口する円弧状凹部９ａ，９ｂの上方から下降させて挿入し、この状態で規制部すなわち前面パネル５の延設部０ａ，１０ｂによって、軸８ａ，８ｂの上方への移動を規制するようにしたことから、扉７を撓ませることなく、筺体４の両側板４ａ，４ｂのそれぞれに扉７を組み付けることができる。したがって、撓ませることによる扉７等の損傷を生じる懸念がなく、記録媒体駆動装置３の製作に際しての歩留まりを向上させることができる。
【００３２】
また、扉７を撓ませながら軸８ａ，８ｂを挿入するような煩雑な作業を要することなく、扉７の軸８ａ，８ｂを筺体４の両側板４ａ，４ｂの円弧状凹部９ａ，９ｂに向けて下降させることにより扉７を組み付けることができるので、扉７の組み付けが簡単であり、この扉７の組み付け作業の能率を向上させることができる。
【００３３】
また、扉７の軸８ａ，８ｂの位置、すなわち軸８ａ，８ｂの回動支点の位置を筺体４の両側板４ａ，４ｂの最上方位置に設定でき、これにより第１カートリッジ１または第２カートリッジ２が当接する扉７の部分と、軸８ａ，８ｂの回動支点との高さ方向の距離を大きくすることができる。これに伴って、第１カートリッジ１または第２カートリッジ２の前面パネル５の開口部６への挿入時に、第１カートリッジ１または第２カートリッジ２が扉７に当接することによって軸８ａ，８ｂに与えられる力を小さくすることができ、筺体４の両側板４ａ，４ｂの円弧状凹部９ａ，９ｂからの扉７の軸８ａ，８ｂの離脱を生じることなく、扉７の円滑な回動動作を実現させることができる。これにより、信頼性の高い記録媒体駆動装置３を得ることができる。
【００３４】
また、扉７の軸８ａ，８ｂの移動を規制する規制部が、前面パネル５に設けた延設部１０ａ，１０ｂから成るので、前面パネル５を扉７の軸８ａ，８ｂの上方向への移動を規制する規制部の形成部材として活用することができ、部品数の増加を抑え、記憶媒体駆動装置３の製作費の節減に貢献する。
【００３５】
また、扉７の両側端に一体に設けられる縦断面が円形の軸８ａ，８ｂが筺体４の両側板４ａ，４ｂの円弧状凹部９ａ，９ｂに保持されるので、扉７の回動に際して円弧状曲面同士の摺接となり、この扉７の回動を円滑に行わせることができ、信頼性の高い記憶媒体駆動装置３の実現に貢献する。
【００３６】
［本実施形態に係る扉保持構造が適用される記録媒体駆動装置の別の例］
図９は本実施形態に係る扉保持構造が備えられる記録媒体駆動装置の別の例の正面部分を模式的に示した図、図１０は図９に示す記録媒体駆動装置に図１に示すカートリッジを挿入した状態を示す図で、（ａ）図は第１カートリッジを挿入した図、（ｂ）図は第２カートリッジを挿入した図である。
【００３７】
上述した本実施形態に係る扉保持構造が適用される記録媒体駆動装置の別の例は、図９に示すように、前面パネル５Ａの開口部６Ａの形状が、図２，３，５に示した記録媒体駆動装置３の前面パネル５の開口部６の形状と異なっている。その他の構成は、図２〜８に示したものと同等である。
【００３８】
図９に示す記録媒体駆動装置の別の例では、前面パネル５Ａの開口部６Ａの形状を、第１カートリッジ１を前面から見たときの形状に相応した形状に形成してある。すなわち、この別の例における前面パネル５Ａの開口部６Ａの上縁部６Ａ１、下縁部６Ａ２、両側縁部６Ａ３，６Ａ４、一方の段付部を形成する垂直縁部６Ａ５及び水平縁部６Ａ６、他方の段付部を形成する垂直縁部６Ａ７及び水平縁部６Ａ８のそれぞれは、図１の（ａ）図に示す第１カートリッジ１の上縁部、下縁部、両側縁部、左右の段付部にそれぞれ形成される垂直縁部と水平縁部のそれぞれよりもわずかに大きい寸法に設定してある。
【００３９】
この図９に示す記録媒体駆動装置の別の例の前面パネル５Ａの開口部６Ａに、図１の（ａ）図に示す第１カートリッジ１を挿入した際には、図１０の（ａ）図に示すように第１カートリッジ１は、開口部６Ａを形成する上縁部６Ａ１、下縁部６Ａ２、両側縁部６Ａ３，６Ａ４、一対の段付部を形成する垂直縁部６Ａ５及び水平縁部６Ａ６、垂直縁部６Ａ７及び水平縁部６Ａ８のそれぞれによって案内される。また、開口部６Ａに図１の（ｂ）図に示す第２カートリッジ２を挿入した際には、図１０の（ｂ）図に示すように第２カートリッジ２は、開口部６Ａの下縁部６Ａ２、両側縁部６Ａ３，６Ａ４、及び水平縁部６Ａ６，６Ａ８のそれぞれによって案内される。このとき、第２カートリッジ２の上方には空間部１３が形成される。
【００４０】
このように、前面パネル５Ａの開口部６Ａの形状を第１カートリッジ１の前面から見た形状に相応する形状に形成した記録媒体駆動装置の別の例では、第１カートリッジ１を前面パネル５Ａの開口部６Ａから挿入する際には、上述のように、前面パネル５Ａの開口部６Ａの形状に適合させるようにして第１カートリッジ１を挿入することにより、開口部６Ａの全体によって第１カートリッジ１を筺体４内に円滑に案内することができる。また、第１カートリッジ１が当接する扉７の部分が常に同一の部分となり、第１カートリッジ１が当接する扉７の部分と、扉７の軸８ａ，８ｂとの高さ方向の距離とが一定に保たれ、これによって、扉７を撓める不要な力が扉７に与えられることがなく、扉７の軸８ａ，８ｂが両側板４ａ，４ｂの円弧状凹部９ａ，９ｂから離脱することなく、扉７の円滑な回動動作を行なわせることができる。
【００４１】
また、第２カートリッジ２を前面パネル５Ａの開口部６Ａの下部領域に含まれる矩形形状に適合させるようにして第２カートリッジ２を挿入することにより、開口部６Ａの下部領域によって第２カートリッジ２を筺体４内に円滑に案内することができる。また、第２カートリッジ２が当接する扉７の部分が常に同一の部分となり、第２カートリッジ２が当接する扉７の部分と、扉７の軸８ａ，８ｂとの高さ方向の距離が一定に保たれ、扉７を撓める不要な力が扉７に与えられることがなく、しかも、第２カートリッジ２が当接する扉７の部分が扉７の軸８ａ，８ｂの回動支点から比較的遠い距離となり、第２カートリッジ２の挿入時に扉７の軸８ａ，８ｂに与えられる力を小さくすることができる。これらによって、扉７の軸８ａ，８ｂが両側板４ａ，４ｂの円弧状凹部９ａ，９ｂから離脱することなく、扉７の円滑な回動動作を行なわせることができる。
【００４２】
すなわち、第１カートリッジ１、第２カートリッジ２の筺体４への挿入によって、扉７の軸８ａ，８ｂを両側板４ａ，４ｂの円弧状凹部９ａ，９ｂから離脱させるような不要な力をこの扉７に与えることなく、扉７の円滑な回動動作を実現させることができる。これによって、さらに信頼性の高い記録媒体駆動装置を得ることができる。
【００４３】
［その他の構成］
なお、上述の本実施形態に係る扉保持構造にあっては、筺体４の両側板４ａ，４ｂのそれぞれに形成した円弧状凹部９ａ，９ｂに挿入した扉７の軸８ａ，８ｂのそれぞれの上方向への移動を規制する規制部が、前面パネル５，５Ａに設けられる延設部１０ａ，１０ｂ等から成る構成にしてあるが、本発明は、このように規制部を前面パネル５，５Ａに設けることには限定されない。例えば、両側板４ａ，４ｂとは別体に設けられ、第１カートリッジ１、第２カートリッジ２の所定の装着位置等を覆うカバー部材に、規制部を設ける構成にしてもよい。このように構成したものでは、筺体４を規制部の形成部材として活用することができる。また、このように構成したものでも、部品数の増加を抑えることができ、記録媒体駆動装置の製作費の節減に貢献する。
【図面の簡単な説明】
【００４４】
【図１】本発明に係る扉保持構造の一実施形態が備えられる記録媒体駆動装置に使用される記録媒体であるカートリッジの正面図であり、（ａ）図は第１カートリッジを示す正面図、（ｂ）図は第２カートリッジを示す正面図である。
【図２】本発明に係る扉保持構造の一実施形態が備えられる記録媒体駆動装置を示す斜視図である。
【図３】図２に示す記録媒体駆動装置の分解斜視図である。
【図４】図２に示す記録媒体駆動装置の平面図である。
【図５】図２に示す記録媒体駆動装置の正面図である。
【図６】図２に示す記録媒体駆動装置の側面図である。
【図７】図６の要部拡大図である。
【図８】図７に示す要部の分解斜視図である。
【図９】本実施形態に係る扉保持構造が備えられる記録媒体駆動装置の別の例の正面部分を模式的に示した図である。
【図１０】図９に示す記録媒体駆動装置に図１に示すカートリッジを挿入した状態を示す図で、（ａ）図は第１カートリッジを挿入した図、（ｂ）図は第２カートリッジを挿入した図である。
【符号の説明】
【００４５】
１    第１カートリッジ（記録媒体）
２    第２カートリッジ（記録媒体）
３    記録媒体駆動装置
４    筺体
４ａ  側板
４ｂ  側板
５    前面パネル
５Ａ  前面パネル
６    開口部
６Ａ  開口部
６Ａ１  上縁部
６Ａ２  下縁部
６Ａ３  側縁部
６Ａ４  側縁部
６Ａ５  垂直縁部
６Ａ６  水平縁部
６Ａ７  垂直縁部
６Ａ８  水平縁部
７    扉
８ａ  軸
８ｂ  軸
９ａ  円弧状凹部
９ｂ  円弧状凹部
１０ａ  延設部（規制部）
１０ｂ  延設部（規制部）
１１ａ  切欠き部
１１ｂ  切欠き部
１２    扉開閉アーム
１３    空間部
【図１】
2010073273.tif 000003
【図２】
2010073273.tif 000004
【図３】
2010073273.tif 000005
【図４】
2010073273.tif 000006
【図５】
2010073273.tif 000007
【図６】
2010073273.tif 000008
【図７】
2010073273.tif 000009
【図８】
2010073273.tif 000010
【図９】
2010073273.tif 000011
【図１０】
2010073273.tif 000012